(57)【要約】【課題】蓄電部を小容量化し、小形化できる電源装置を提供する。【解決手段】制御部IC1は、負荷Ｌを制御する複数の制御モードを有し、ゼロクロス検出手段23が壁スイッチSW1による商用交流電源Ｅの遮断を検出する度に制御モードを切り換えて開閉手段19の開閉を制御する。制御部IC1は、ゼロクロス検出手段23が壁スイッチSW1による商用交流電源Ｅの遮断を検出しているときには電解コンデンサC3から制御部IC1への内部電源の通電を残して電源回路21の他の回路構成への内部電源の通電を停止させる。【選択図】図１
2014212061.tif 000002
【特許請求の範囲】
【請求項１】
外部電源から切換手段を介して負荷に至る閉回路に設けられる開閉手段と；
外部電源に切換手段を介して接続される電源回路と；
電源回路に設けられ、切換手段による外部電源の遮断を検出する外部電源遮断検出手段と；
電源回路に設けられ、外部電源を所定の内部電源に変換して電源回路に供給するとともに、切換手段による外部電源の遮断時には予め蓄電されていた内部電源を電源回路に通電する蓄電部を有する電源手段と；
負荷を制御する複数の制御モードを有し、外部電源遮断検出手段が切換手段による外部電源の遮断を検出する度に制御モードを切り換えて開閉手段の開閉を制御するとともに、外部電源遮断検出手段が切換手段による外部電源の遮断を検出しているときには蓄電部から自己への内部電源の通電を残して電源回路の他の回路構成への内部電源の通電を停止させる制御部と；
を具備していることを特徴とする電源装置。
【発明の詳細な説明】
【技術分野】
【０００１】
本発明の実施形態は、負荷への電源供給を制御する電源装置に関する。
【背景技術】
【０００２】
従来、人感センサや照度センサなどのセンサを備えた配線器具では、外部電源および壁スイッチから負荷に至る閉回路に開閉手段を設け、センサによる検出に応じて開閉手段の開閉を制御するようにした電源装置を備えているものがある。さらに、この電源装置では、負荷の制御態様が異なる複数の制御モードを有し、任意の制御モードに切り換えられるようにしている。
【０００３】
このような配線器具は操作しにくい場所に設置されることもあるため、設置後も容易にモード切換ができるように、壁スイッチを所定の時間内にオフ、オンの操作をすることにより、制御モードを切り換えるようにしたモード切換機能を有する電源装置がある。
【０００４】
このような電源装置では、壁スイッチをオフしている間、すなわち外部電源の遮断中でも、電源装置が動作するようにコンデンサなどの蓄電部を備えている。蓄電部は、少なくとも所定の時間の間は電源装置に電源供給可能とする容量のものが用いられている。
【先行技術文献】
【特許文献】
【０００５】
【特許文献１】特許第３１９３７３２号公報
【発明の概要】
【発明が解決しようとする課題】
【０００６】
しかしながら、電源装置の全ての回路が動作するには比較的大きな電力が必要であり、この電源装置を所定の時間動作させし続けるには大容量の蓄電部が必要となり、その結果、蓄電部が大きく、電源装置が大形になる。
【０００７】
本発明が解決しようとする課題は、蓄電部を小容量化し、小形化できる電源装置を提供することである。
【課題を解決するための手段】
【０００８】
実施形態の電源装置は、開閉手段、電源回路、外部電源遮断検出手段、電源手段および制御部を備える。開閉手段は、外部電源から切換手段を介して負荷に至る閉回路に設けられる。電源回路は、外部電源に切換手段を介して接続される。外部電源遮断検出手段は、電源回路に設けられ、切換手段による外部電源の遮断を検出する。電源手段は、電源回路に設けられ、外部電源を所定の内部電源に変換して電源回路に供給するとともに、切換手段による外部電源の遮断時には予め蓄電されていた内部電源を電源回路に通電する蓄電部を有する。制御部は、負荷を制御する複数の制御モードを有し、外部電源遮断検出手段が切換手段による外部電源の遮断を検出する度に制御モードを切り換えて開閉手段の開閉を制御する。制御部は、外部電源遮断検出手段が切換手段による外部電源の遮断を検出しているときには蓄電部から制御部への内部電源の通電を残して電源回路の他の回路構成への内部電源の通電を停止させる。
【発明の効果】
【０００９】
本発明によれば、モード切換のために外部電源が遮断しているときには、蓄電部から制御部への内部電源の通電を残して電源回路の他の回路構成への内部電源の通電を停止させ、電力消費を抑制できるため、モード切換に必要な内部電源を蓄電しておく蓄電部を小容量化でき、電源装置を小形化することが期待できる。
【図面の簡単な説明】
【００１０】
【図１】一実施形態を示す電源装置の回路図である。
【図２】同上電源装置を用いた配線器具の断面図である。
【発明を実施するための形態】
【００１１】
以下、一実施形態を、図１および図２を参照して説明する。
【００１２】
図２に配線器具10の断面図を示す。この配線器具10は、例えば住宅の外玄関の外壁面で比較的高い位置に設置され、人体の検知および照度の検知などに基づいて負荷として玄関灯などの照明器具の点灯・消灯を制御するものである。配線器具10は、センサ手段として、人体から発生する赤外線を受光して所定の検知エリア内への人の侵入を検知する人感センサ11、および周囲の明るさを検知する照度センサ12を備えるとともに、動作を設定するための複数の設定器13を備えている。さらに、配線器具10は、人感センサ11および照度センサ12などのセンサ手段の検知および設定器13による設定に基づいて負荷への通電を制御する電源装置14を備えている。設定器13には、負荷をオンする周囲の明るさを設定する設定器、人感センサ11で人を検知してから負荷を継続してオンしておく時間を設定する設定器、負荷をオンする周囲の明るさになった時点からの負荷を継続してオンしておく時間を設定する設定器などが含まれる。
【００１３】
図１に電源装置14の回路図を示す。電源装置14は、外部電源としての商用交流電源Ｅおよび切換手段としての壁スイッチSW1の直列回路が接続される一対の電源端子t1，t2、負荷Ｌが接続される一対の負荷端子t3，t4、および子機機器16が接続される一対の子機端子t5，t6を有している。なお、子機機器16は、例えば、センサ手段として人感センサを備えており、電源装置14から電源供給を受けて、配線器具10の人感センサ11による検知エリアとは別の検知エリアで人を検知し、検知信号を電源装置14に送るように構成されている。
【００１４】
一対の電源端子t1，t2と一対の負荷端子t3，t4とが接続されて閉回路が形成され、この閉回路には閉回路を開成よび閉成する開閉手段19が設けられている。開閉手段19はリレースイッチRY1AとトライアックTRAC1との並列回路によって構成されている。
【００１５】
また、一対の電源端子t1，t2には、センサ手段に基づいて開閉手段19の開閉動作を制御するための電源回路21が接続されている。この電源回路21では、一対の電源端子t1，t2に、フィルタ回路を構成するバリスタZ1およびコンデンサC1が並列に接続されている。一方の電源端子t1に接続されるコンデンサC1の一端には、コンデンサC2および抵抗R1，R2の並列回路と抵抗R3とで商用交流電源Ｅからの交流電力を定電流化するコンデンサドロップ回路が接続されている。
【００１６】
抵抗R3およびコンデンサC1の他端が全波整流器DB1の一対の入力端に接続され、全波整流器DB1の一対の出力端が外部電源遮断検出手段としてのゼロクロス検出手段23に接続されている。ゼロクロス検出手段23は、ＮＰＮ形のトランジスタQ1を備え、トランジスタQ1のベースが抵抗R4を介して全波整流器DB1の出力側のＨレベルラインに接続され、エミッタが全波整流器DB1の出力側のＧＮＤラインに接続され、コレクタが抵抗R5を介して例えば５Ｖの内部電源（制御電源）に接続されている。トランジスタQ1のコレクタと抵抗R5との間がマイコンである制御部IC1の入力ポート(15)に接続されている。そして、商用交流電源Ｅからの交流電力が電源装置14に供給されているときには、全波整流器DB1から出力される全波整流された電圧がベースに流れることでトランジスタQ1がオンオフを繰り返し、パルス状の信号が制御部IC1に出力され、一方、商用交流電源Ｅが遮断されると、パルス状の信号が制御部IC1に出力されなくなる。
【００１７】
また、全波整流器DB1の出力側のＨレベルラインにダイオードD1のアノードが接続されている。ダイオードD1のカソードとトランジスタQ1のエミッタ（ＧＮＤライン）との間に、ダイオードD1側（Ｈレベルライン側）をカソードとするとともにトランジスタQ1のエミッタ側（ＧＮＤライン側）をアノードとする一対のツェナーダイオードZD1，ZD2が直列に接続されているとともに、蓄電部としての電解コンデンサC3が接続されている。これらツェナーダイオードZD1，ZD2および電解コンデンサC3により、例えば１２Ｖの直流の内部電源が作られる。
【００１８】
電解コンデンサC3と並列に、例えば５Ｖの直流の内部電源を作る３端子レギュレータ25が接続されている。
【００１９】
そして、全波整流器DB1、ツェナーダイオードZD1，ZD2、電解コンデンサC3および３端子レギュレータ25などにより、商用交流電源Ｅからの交流電力を所定の内部電源（１２Ｖ、５Ｖ）に変換して電源回路21内に供給する電源手段26が構成されている。
【００２０】
また、電源手段26の１２ＶラインにＰＮＰ形のトランジスタQ2のエミッタが接続され、コレクタが子機端子t5に接続され、ベースが抵抗R6、ＮＰＮ形のトランジスタQ3、ＧＮＤラインおよび抵抗R7を介して子機端子t6に接続されている。トランジスタQ2のエミッタ・ベース間には抵抗R8が接続されている。トランジスタQ3は、コレクタが抵抗R6に接続され、エミッタがＧＮＤラインに接続され、ベースに抵抗R9を介して制御部IC1の出力ポート(3)が接続されている。トランジスタQ3のエミッタ・ベース間には抵抗R10が接続されている。子機端子t5，t6間にはバリスタZ2が接続されている。また、抵抗R7とバリスタZ1との間から取り出される子機機器16からの信号が抵抗R11を介して制御部IC1の入力ポート(19)に入力される。なお、子機機器16は接続しなくてもよい。
【００２１】
また、電源手段26の１２ＶラインとＧＮＤラインとの間に、リレーRY1BおよびＮＰＮ形のトランジスタQ4が接続されている。リレーRY1Bには、１２Ｖライン側をカソード、ＧＮＤライン側をアノードとしてダイオードD2が並列に接続されている。リレーRY1Bは、コイルを有し、コイルに通電されて励磁されることによってリレースイッチRY1Aがオンし、一方、コイルへの励磁が遮断されることによってリレースイッチRY1Aがオフする。トランジスタQ4のコレクタがリレーRY1Bに接続され、エミッタがＧＮＤラインに接続され、ベースに抵抗R12を介して制御部IC1の出力ポート(12)が接続されている。トランジスタQ4のエミッタ・ベース間には抵抗R13が接続されている。
【００２２】
また、電源手段26の１２ＶラインとＧＮＤラインとの間に、抵抗R14、フォトカプラPC1の発光ダイオードLED1およびＮＰＮ形のトランジスタQ5が接続されている。トランジスタQ5のコレクタが発光ダイオードLED1に接続され、エミッタがＧＮＤラインに接続され、ベースに抵抗R15を介して制御部IC1の出力ポート(14)が接続されている。トランジスタQ5のエミッタ・ベース間には抵抗R16が接続されている。
【００２３】
トライアックTRAC1の両端子と並列に、抵抗R17、フォトカプラPC1のフォトトライアックPT1、コンデンサC4および抵抗R18の並列回路が接続されている。トライアックTRAC1のゲートは、フォトトライアックPT1とコンデンサC4および抵抗R18の並列回路との間に接続されている。
【００２４】
また、電源手段26の３端子レギュレータ25で作られた５ＶラインとＧＮＤラインとの間にＰＮＰ形のトランジスタQ6および抵抗R19が接続され、抵抗R19の両端に人感センサ11が接続されている。人感センサ11の信号出力端子は制御部IC1の入力ポート(13)に接続されている。トランジスタQ6のベースは抵抗R20を介して制御部IC1の出力ポート(1)に接続されている。
【００２５】
また、５ＶラインとＧＮＤラインとの間には、照度センサ12および抵抗R21の直列回路が接続されている。照度センサ12と抵抗R21との間から照度信号が制御部IC1の入力ポート(18)に入力される。
【００２６】
また、５Ｖラインと制御部IC1の出力ポート(1)との間には、負荷Ｌをオンする周囲の明るさを設定する設定器13である可変抵抗器VR1が接続されている。可変抵抗器VR1の設定された電圧信号が制御部IC1の入力ポート(17)に入力される。
【００２７】
また、５Ｖラインと制御部IC1の出力ポート(1)との間には、抵抗R22と、人感センサ11で人を検知してから負荷Ｌを継続してオンしておく時間を設定する設定器13である切換スイッチSW2との直列回路が接続されている。切換スイッチSW2は、例えば複数の切換端子を有し（図１では２つの切換端子のみを示すが、もっと多く備えていてもよい）、一方の切換端子側のみに抵抗R23が介在されている。抵抗R22と切換スイッチSW2との間から切り換えられた切換端子側に応じた電圧信号が制御部IC1の入力ポート(16)に入力される。
【００２８】
また、５Ｖラインと制御部IC1の出力ポート(1)との間には、抵抗R24と、負荷Ｌをオンする周囲の明るさになった時点からの負荷Ｌを継続してオンしておく時間を設定する設定器13である切換スイッチSW3との直列回路が接続されている。切換スイッチSW3は、例えば複数の切換端子を有し（図１では２つの切換端子のみを示すが、もっと多く備えていてもよい）、一方の切換端子側のみに抵抗R25が介在されている。抵抗R24と切換スイッチSW3との間から切り換えられた切換端子側に応じた電圧信号が制御部IC1の入力ポート(2)に入力される。
【００２９】
また、５Ｖラインと制御部IC1のポート(11)との間には、配線器具10が有する動作状態の確認用の発光ダイオードLED2および抵抗R26の直列回路が接続されている。
【００３０】
また、制御部IC1は、電源ポート(10)に３端子レギュレータ25から供給される５Ｖの内部電源によって動作する。
【００３１】
制御部IC1は、負荷Ｌを制御する複数の制御モードを有している。制御モードとしては、例えば、周囲が暗くなりかつ人を検知すれば負荷Ｌをオンする自動モード、周囲の明るさや人の存在に関係なく負荷Ｌをオフする強制オフモード、周囲の明るさや人の存在に関係なく負荷Ｌをオンする強制オンモードなどがある。
【００３２】
そして、制御部IC1は、オン状態の壁スイッチSW1が所定の時間内（例えば２秒以内）にオフ、オン操作される度に、すなわち所定の時間内にゼロクロス検出手段23が商用交流電源Ｅからの給電の遮断を検出する度に、制御モードを順次切り換えて開閉手段19の開閉を制御する機能を有している。
【００３３】
さらに、制御部IC1は、ゼロクロス検出手段23が商用交流電源Ｅからの給電の遮断を検出しているときには電解コンデンサC3から制御部IC1への内部電源の通電を残して電源回路21の他の回路構成への内部電源の通電を停止させる機能を有している。なお、電源回路21の他の回路構成としては、子機機器16への給電回路、人感センサ11への給電回路、スイッチ類（可変抵抗器VR1および切換スイッチSW2，SW3）への給電回路、開閉手段19（リレーRY1B、フォトカプラPC1）の切換回路などが含まれる。また、電源回路21の他の回路構成のうち、比較的消費電力の大きい回路構成については内部電源の通電を停止させ、比較的消費電力の小さい回路構成については内部電源の通電を停止させずに通電したままとしてもよい。
【００３４】
電解コンデンサC3は、所定の時間内の間、制御部IC1などに内部電源を供給し続けることが可能な蓄電容量のものが用いられている。
【００３５】
次に、電源装置14の動作を説明する。
【００３６】
壁スイッチSW1がオンしていて商用交流電源Ｅからの交流電力が電源装置14に供給されている外部電源供給状態では、電源手段26によって作られる１２Ｖ、５Ｖの内部電源が電源回路21の各回路構成に供給されている。
【００３７】
この外部電源供給状態では、ゼロクロス検出手段23から制御部IC1の入力ポート(15)にパルス状の信号が入力されているため、制御部IC1は商用交流電源Ｅからの交流電力が供給されている外部電源給電状態にあると判断する。
【００３８】
この制御部IC1の出力ポート(3)からはＨレベルである５Ｖの信号が出力されてトランジスタQ3がオンし、このトランジスタQ3のオンによってトランジスタQ2もオンし、一対の子機端子t5，t6に接続されている子機機器16に１２Ｖの内部電源が供給される。子機機器16が有する人感センサからの信号が制御部IC1の入力ポート(19)に入力される。なお、子機機器16は接続しなくてもよい。
【００３９】
さらに、制御部IC1の出力ポート(1)がＬレベルであるＧＮＤレベルに保たれ、制御部IC1の出力ポート(1)にベースが接続されているＰＮＰ形のトランジスタQ6がオンし、人感センサ11に５Ｖの内部電源が供給され、人感センサ11からの信号が制御部IC1の入力ポート(13)に入力される。
【００４０】
さらに、５ＶラインとＧＮＤレベルに保たれる制御部IC1の出力ポート(1)との間に接続されている可変抵抗器VR1および各切換スイッチSW2，SW3のそれぞれに５Ｖの内部電源が流れ、これら可変抵抗器VR1および各切換スイッチSW2，SW3からの信号が制御部IC1の各入力ポート(17)(16)(2)に入力される。
【００４１】
また、５ＶラインとＧＮＤラインとの間に接続されている照度センサ12に５Ｖの内部電源が流れ、照度センサ12からの信号が制御部IC1の入力ポート(18)に入力される。
【００４２】
そして、制御部IC1は、可変抵抗器VR1および各切換スイッチSW2，SW3から入力される信号に応じて設定情報を取得するとともに、人感センサ11、照度センサ12および子機機器16から入力される信号を監視し、設定されている制御モードに基づいて開閉手段19を制御する。
【００４３】
制御部IC1が負荷Ｌをオフ制御している場合には、制御部IC1の出力ポート(12)(14)がＬレベルであるＧＮＤレベルに保たれ、制御部IC1の出力ポート(12)(14)にそれぞれベースが接続されているトランジスタQ4，Q5がオフし、これにより、リレースイッチRY1AおよびトライアックTRAC1がオフし、負荷Ｌがオフしている。
【００４４】
制御部IC1がオフしている負荷Ｌをオン制御する場合には、ゼロクロス検出手段23によって検出されゼロクロスに合わせて、制御部IC1の出力ポート(14)からＨレベルの５Ｖの信号を出力することにより、トランジスタQ5がオンし、フォトカプラPC1を介してトライアックTRAC1のゲートがオンし、商用交流電源Ｅからの交流電力が負荷Ｌに供給され、負荷Ｌがオンする。その後、制御部IC1の出力ポート(12)からＨレベルである５Ｖの信号が出力されることにより、トランジスタQ5がオンし、リレーRY1Bが励磁されてリレースイッチRY1Aがオンする。その所定時間後に、トライアックTRAC1がオフし、リレースイッチRY1Aのみで負荷Ｌに給電する。
【００４５】
制御部IC1がオンしている負荷Ｌをオフ制御する場合には、トライアックTRAC1をオンし、リレースイッチRY1Aをオフし、ゼロクロス検出手段23によって検出されゼロクロスに合わせてトライアックTRAC1をオフする。
【００４６】
このように、開閉手段19としてリレースイッチRY1AとトライアックTRAC1とを併用することにより、負荷Ｌへの通電開始時に過大な突入電流が流れるのを防止できるとともに、半導体であるトライアックTRAC1がオンし続けることによる寿命への影響を低減することができる。
【００４７】
次に、制御部IC1の制御モードを切り換える場合には、オン状態にある壁スイッチSW1を所定の時間内（例えば２秒以内）でオフ、オン操作する。
【００４８】
壁スイッチSW1をオフしている間は、商用交流電源Ｅから電源装置14への交流電力の供給が遮断される。商用交流電源Ｅから電源装置14への交流電力の供給が遮断されても、電解コンデンサC3に蓄電されていた電力が放電されるため、制御部IC1には内部電源が供給され続け、制御部IC1は動作を継続する。
【００４９】
商用交流電源Ｅから電源装置14への交流電力の供給が遮断されると、ゼロクロス検出手段23から制御部IC1に入力していた信号が停止するため、制御部IC1は、外部電源遮断と判断する。
【００５０】
そして、外部電源遮断と判断した制御部IC1は、電源回路21の他の回路構成への通電を停止させる動作を行う。
【００５１】
すなわち、制御部IC1の出力ポート(3)を５ＶのＨレベルからＬレベルであるＧＮＤレベルに切り換えることにより、トランジスタQ3がオフし、このトランジスタQ3のオフによってトランジスタQ2もオフし、一対の子機端子t5，t6に接続されている子機機器16への１２Ｖの内部電源の通電が停止される。
【００５２】
制御部IC1の出力ポート(1)をＬレベルであるＧＮＤレベルから５ＶのＨレベルに切り換えることにより、制御部IC1の出力ポート(1)にベースが接続されているＰＮＰ形のトランジスタQ6がオフし、人感センサ11への５Ｖの内部電源の通電が停止される。
【００５３】
さらに、制御部IC1の出力ポート(1)がＬレベルであるＧＮＤレベルから５ＶのＨレベルに切り換えられることにより、５Ｖラインと制御部IC1の出力ポート(1)との間に接続されている可変抵抗器VR1および各切換スイッチSW2，SW3の両端が５Ｖの同電位となり、可変抵抗器VR1および各切換スイッチSW2，SW3への内部電源の通電が停止される。
【００５４】
なお、外部電源遮断時でも照度センサ12には５Ｖの内部電源を通電し続けるが、照度センサ12の消費電力は他の回路構成に比べて小さいので通電を停止させなくてもよい。ただし、人感センサ11と同様に照度センサ12への通電を停止させるようにしてもよい。
【００５５】
また、負荷Ｌをオン制御していた場合には、制御部IC1の出力ポート(12)がＨレベルからＬレベルであるＧＮＤレベルに切り換えられ、制御部IC1の出力ポート(12)にベースが接続されているトランジスタQ4がオフし、リレーRY1Bへの通電を停止させる。また、外部電源遮断時のタイミングで、トライアックTRAC1をオン制御していた場合には、制御部IC1の出力ポート(14)がＨレベルからＬレベルであるＧＮＤレベルに切り換えられ、制御部IC1の出力ポート(14)にベースが接続されているトランジスタQ5がオフし、フォトカプラPC1の発光ダイオードLED1への通電を停止させる。
【００５６】
このように、商用交流電源Ｅから電源装置14への交流電力の供給が遮断されたときには、外部電源遮断と判断した制御部IC1により、少なくとも制御部IC1への内部電源の通電を残して、電源回路21の他の回路構成への通電を停止させる動作を行い、電解コンデンサC3から放電される電力の消費を極力抑制する。
【００５７】
そして、壁スイッチSW1をオフしてから、所定の時間内（例えば２秒以内）にオン操作することにより、商用交流電源Ｅからの交流電力が電源装置14に供給される。これにより、ゼロクロス検出手段23から制御部IC1の入力ポート(15)にパルス状の信号が入力され、制御部IC1は商用交流電源Ｅからの交流電力が供給された外部電源給電が再開されたと判断する。なお、所定の時間内に商用交流電源Ｅからの交流電力が電源装置14に供給されず、電解コンデンサC3からの電力の放電がなくなれば、制御部IC1の動作を停止するため、その後に商用交流電源Ｅからの交流電力が電源装置14に供給された場合には、制御部IC1は初期設定の制御モードで制御する。
【００５８】
外部電源給電が再開されたと判断した制御部IC1は、設定されていた制御モードから次の制御モードを切り換えて設定するとともに、上述した外部電源給電時の制御状態に復帰させる。
【００５９】
このように構成された電源装置14では、モード切換のために商用交流電源Ｅからの交流電力が遮断しているときには、電解コンデンサC3から制御部IC1への内部電源の通電を残して電源回路21の他の回路構成への内部電源の通電を停止させることにより、電解コンデンサC3から放電される電力の消費を極力抑制できる。そのため、モード切換に必要な内部電源を蓄電しておく電解コンデンサC3を小容量化でき、電源装置14を小形化することができる。
【００６０】
なお、電源回路21の他の回路構成のうち、比較的消費電力の大きい回路構成については内部電源の通電を停止させ、比較的消費電力の小さい回路構成については内部電源の通電を停止させずに通電したままとしてもよい。消費電力の大きい回路構成としては、リレーRY1B、フォトカプラPC1、人感センサ11などがあり、また、消費電力の小さい回路構成としては、照度センサ12などがある。
【００６１】
また、電源装置14は、照明の負荷Ｌを制御する配線器具10に設ける場合に限らず、照明器具が備える点灯装置に設けてもよい。
【００６２】
また、電源装置14は、照明以外の負荷を制御する電源装置にも適用できる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
14    電源装置
19    開閉手段
21    電源回路
23    外部電源遮断検出手段としてのゼロクロス検出手段
26    電源手段
C3    蓄電部としての電解コンデンサ
Ｅ    外部電源としての商用交流電源
IC1   制御部
Ｌ    負荷
SW1   切換手段としての壁スイッチ
【図１】
2014212061.tif 000003
【図２】
2014212061.tif 000004